(57)【要約】【課題】交換容易で、片手でペーパー切断可能なロールペーパー切断装置を得ること【解決手段】イ）巻芯幅より僅か大きい間隔においた左右平行の側板と該各側板後端に渡した連結板とで溝形状に形成され、該側板に芯受材を有する支持部材と、ロ）側板の左右端面と同大の横長方形状の基板中央位置に横長方形状通過孔が穿設されている導入ガイドと、平坦な底面部より立上がって端部前後方向に左右一対の後部と前部が広がり中部が狭まって向合った湾曲面によって平面視において略鼓状に壁面部が形成され、該壁面部の上端に左右一対の平坦な上面部が左右外側に張出し、各壁面部と底面部の連結部は底広がりにとられている整列ガイドと、半硬質プラスチック薄板製で粗目ピッチの緩傾斜部と急傾斜部とで鋸歯状に形成され先端部が小半球状とされ該底面部の前端に傾斜連設されているカッターとを有する案内切断部とを備えているロールペーパー切断装置。【選択図】        図１
0003135229.tif 000002
【実用新案登録請求の範囲】
【請求項１】
イ）巻芯幅より僅か大きい間隔をおいた左右平行の側板と該各側板後端に渡した連結板とで溝形状に形成され該側板に芯受材を有する支持部材と、ロ）前記側板の左右端面と同大の横長方形状の基板中央位置に前記巻芯幅より小さい横長方形又は略Ｕ字形状通過孔が穿設され最後尾に設けられた切欠部に左右に回動軸が突設されている導入ガイドと、平坦な底面部より立上がって端部前後方向に左右一対の後部と前部が広がり中部が狭まって向合った湾曲面によって平面視において略鼓状に壁面部が形成され、該壁面部の上端に左右一対の平坦な上面部が左右外側に張出し、前記各壁面部と底面部の連結部は底広がりにとられ正面視において略台形状に形成されている整列ガイドと、半硬質又は硬質低発泡プラスチック薄板製で正面視において粗目ピッチの緩傾斜部と急傾斜部とで鋸歯状に形成され先端部が小半球状とされ同方向に向かう刃をもち該底面部の前端に側面視前上がりに傾斜して連設されているカッターを有する案内切断部とを備え、ハ）前記各側板上端縁に座部と頂部で段差が付けられ該頂部の該座部近接位置左右に軸孔が穿設され、該軸孔に挿入された前記回動軸を介して回動可能とした前記案内切断部を該座部に定置し、前記芯受材に支持されたロールペーパーが解舒されて前記通過孔、底面部及び壁面部との摩擦による張力を受けつつ前記刃で切断可能としたことを特徴とするロールペーパー切断装置。
【請求項２】
請求項１に記載のロールペーパー切断装置において、左右側板は後部高さが１．５〜２倍にとられ側面視において傾斜面と水平面とが交差し前上方に開口を有する切込み部が形成されており、前記側板の全体高さの略２／３は略方形状下方部にとられ略１／３は略台形状上方部にとられ、前記切込み部の水平面を形成する略方形状下方部の上端縁前側に座部がおかれ、前記略台形状上方部の前記座部近接位置に左右方向に軸孔が穿設され、該軸孔に挿入された回動軸を介して案内切断部が回動可能とされ、略方形状下方部に芯受材が設けられ、前記各側板の上端を覆って上蓋が固着され、連結板は前記側板後端の少なくとも下部に渡されていることを特徴とするロールペーパー切断装置。
【請求項３】
カッターの刃は、歯数３．０〜４．５本／１０ｍｍ、高さ４．５〜７ｍｍにとられ、先端部は半径０．２〜０．５ｍｍの小半球状にとられていることを特徴とする請求項１又は２に記載のロールペーパー切断装置。
【請求項４】
平面視において、通過孔の左右幅ｗ、並びに壁面部の底面部との連結部の後端末の入口幅ｘ、中間部の中間幅ｙ、及び前端末の出口幅ｚは、巻芯幅ｖを基準として、
ｘ＝ｗ＝０．７〜０．９ｖ、ｙ＝０．５〜０．６ｖで、ｚはｘに等しいかまたは僅かに小さくとられていることを特徴とする請求項１〜３のいずれかに記載のロールペーパー切断装置。
【請求項５】
底面部に連設されているカッターの前上がり傾斜角は刃先端が側面視において前記底面部上面に対し１１０〜１３０度にとられていることを特徴とする請求項１〜４のいずれかに記載のロールペーパー切断装置。
【請求項６】
案内切断部のうち少なくともカッターは高密度ポリエチレンもしくは高密度ポリプロピレンの半硬質プラスチック製、または塩化ビニルもしくはポリウレタンの硬質低発泡プラスチック製とされていることを特徴とする請求項１〜５のいずれかに記載のロールペーパー切断装置。
【考案の詳細な説明】
【技術分野】
【０００１】
本考案は、巻芯に巻かれた長手のロールペーパー例えばトイレットペーパー、手拭きペーパー、キッチンペーパー等を使用時に切断するための切断装置の改良に関する。
【背景技術】
【０００２】
従来のロールペーパー切断装置には各種のものがあるが、いずれもロールペーパーは巻戻しの過程でロールの軸芯回りに回転させており、ロール外径が使用により小径化するとペーパーの張力変化が生じ、切断不良を起こしやすいという課題があった。これに対し、本願考案者は先にロールペーパーをロールの軸芯回りに回転させない特許文献１に記載のロールペーパー切断装置を提案した。
【０００３】
【特許文献１】特開２００７−１４７５２号公報
【考案の開示】
【考案が解決しようとする課題】
【０００４】
しかし前記特許文献１に記載のものは、下記の課題を有している。
すなわち、ロールペーパーＲは巻戻しの過程で、ロールペーパー軸芯は支持することなく、ロールペーパー自体が前側支持棒２３、後側支持棒２４、連結板２２及びガイド本体３１の各表面と接触して摩擦を生じながら回転し、ガイド本体３１の後端末から順次底面部３１ａに渡らせているので、ロール外径が使用により変化しても分散された摩擦により張力変化がほとんど生ずることがなく、片手の指で解舒ペーパーＲ３ の自由前端部を掴んでほぼ水平方向に引張り、次いで下向き直角方向に曲げ硬質プラスチック薄板製の小ピッチ山形状の歯をもったカッター３２の刃先３２ａに当て僅かな力を加えるのみで切断される。切断は全幅に対して集中して行えるので縦裂きが生ずることなく、厚手、薄手いずれのペーパーであっても片手で容易に切断可能という優れた特徴を有している。しかしながら、収納されているロールペーパーＲを交換する場合は、側板２１に切れ目をいれて支持部材２を上部と下部に分離可能とするか、側板２１の少なくとも一方に上向き凹の円弧状切欠面を形成するかなどして側方への交換に備えており、輻輳した付加的構成を要し交換作業がやり難いという課題を有している。
そしてガイド本体３１一つで、一挙に入口幅、出口幅から出口幅と変化させるために通過長を長くなり、そのため大型化するという課題を有している。
またカッター３２は、刃先３２ａが硬質プラスチック薄板製の小ピッチ山形状の歯をもって切断しているのでペーパーが目づまりを起こしやすく、その対策としてそのまま歯のピッチを大きくすると使用者の指に痛感を与えるおそれがあった。
これに対し本考案は、ロールペーパーを軸芯回りに回転させる構成としているが、導入ガイド及び整列ガイドを順次配置することにより相乗効果が得られ、外径が変化しても張力の変化がほとんど生ずることがなく、片手で解舒ペーパーを容易に切断可能であると共に、収納されているロールペーパーを交換のためには簡易な構成のみで上方に容易に取出し可能であり、厚手、薄手いずれのペーパーであってもカッターの刃先に目づまりを起こすことなく使用者の指に痛感を与えるおそれもない、コンパクトなロールペーパー切断装置を得ることを目的とする。
【課題を解決するための手段】
【０００５】
この目的を達成するために、
請求項１の考案にあっては、イ）巻芯幅より僅か大きい間隔をおいた左右平行の側板と該各側板後端に渡した連結板とで溝形状に形成され該側板に芯受材を有する支持部材と、ロ）前記側板の左右端面と同大の横長方形状の基板中央位置に前記巻芯幅より小さい横長方形又は略Ｕ字形状通過孔が穿設され最後尾に設けられた切欠部に左右に回動軸が突設されている導入ガイドと、平坦な底面部より立上がって端部前後方向に左右一対の後部と前部が広がり中部が狭まって向合った湾曲面によって平面視において略鼓状に壁面部が形成され、該壁面部の上端に左右一対の平坦な上面部が左右外側に張出し、前記各壁面部と底面部の連結部は底広がりにとられ正面視において略台形状に形成されている整列ガイドと、半硬質又は硬質低発泡プラスチック薄板製で正面視において粗目ピッチの緩傾斜部と急傾斜部とで鋸歯状に形成され先端部が小半球状とされ同方向に向かう刃をもち該底面部の前端に側面視前上がりに傾斜して連設されているカッターを有する案内切断部とを備え、ハ）前記各側板上端縁に座部と頂部で段差が付けられ該頂部の該座部近接位置左右に軸孔が穿設され、該軸孔に挿入された前記回動軸を介して回動可能とした前記案内切断部を該座部に定置し、前記芯受材に支持されたロールペーパーが解舒されて前記通過孔、底面部及び壁面部との摩擦による張力を受けつつ前記刃で切断可能としたロールペーパー切断装置により解決した。
請求項２の考案にあっては、請求項１に記載のロールペーパー切断装置において、左右側板は後部高さが１．５〜２倍にとられ側面視において傾斜面と水平面とが交差し前上方に開口を有する切込み部が形成されており、前記側板の全体高さの略２／３は略方形状下方部にとられ略１／３は略台形状上方部にとられ、前記切込み部の水平面を形成する略方形状下方部の上端縁前側に座部がおかれ、前記略台形状上方部の前記座部近接位置に左右方向に軸孔が穿設され、該軸孔に挿入された回動軸を介して案内切断部が回動可能とされ、略方形状下方部に芯受材が設けられ、前記各側板の上端を覆って上蓋が固着され、連結板は前記側板後端の少なくとも下部に渡されているロールペーパー切断装置とすることができる。
請求項３の考案にあっては、カッターの刃は、歯数３．０〜４．５本／１０ｍｍ、高さ４．５〜７ｍｍにとられ、先端部は半径０．２〜０．５ｍｍの小半球状にとられていることを特徴とする請求項１又は２に記載のロールペーパー切断装置とするのが好ましい。
請求項４の考案にあっては、平面視において、通過孔の左右幅ｗ、並びに壁面部の底面部との連結部の後端末の入口幅ｘ、中間部の中間幅ｙ、及び前端末の出口幅ｚは、巻芯幅ｖを基準として、
ｘ＝ｗ＝０．７〜０．９ｖ、ｙ＝０．５〜０．６ｖで、ｚはｘに等しいかまたは僅かに小さくとられている請求項１〜３のいずれかに記載のロールペーパー切断装置とするのが好ましい。
請求項５の考案にあっては、底面部に連設されているカッターの前上がり傾斜角は刃先端が側面視において前記底面部上面に対し１１０〜１３０度にとられていることを特徴とする請求項１〜４のいずれかに記載のロールペーパー切断装置とするのが好ましい。
請求項６の考案にあっては、案内切断部のうち少なくともカッターは高密度ポリエチレンもしくは高密度ポリプロピレンの半硬質プラスチック製、または塩化ビニルもしくはポリウレタンの硬質低発泡プラスチック製とされている請求項１〜５のいずれかに記載のロールペーパー切断装置とするのが好ましい。
【考案の効果】
【０００６】
本考案のロールペーパー切断装置によれば、ロールペーパーを軸芯回りに回転させているが、導入ガイド及び整列ガイドを順次配置することにより相乗効果が得られ、ロール外径が変化しても張力の変化がほとんど生ずることがなく、片手で解舒ペーパーを容易に切断可能であると共に、収納されているロールペーパーを交換のためには簡易な構成のみで上方に容易に取出し可能であり、厚手、薄手いずれのペーパーであってもカッターの刃先に目づまりを起こすことなく使用者の指に痛感を与えるおそれもなく、コンパクトな構造であり、又付加的構成によって予備のロールペーパーなど小物を乗せて置くことができるという効果を有する。
【０００７】
本考案の実施の形態を図面を参照して説明する。
図１は、本考案の第一例のロールペーパー切断装置の（ａ）側面図、（ｂ）正面図、及び（ｃ）案内切断部の平面図である。
図２は、図１のロールペーパー切断装置によるロールペーパーの切断作業を示す概略説明斜視図で、（ａ）切断開始時、（ｂ）切断完了時である。
図３は、本考案の第二例のロールペーパー切断装置の（ａ）側面図、及び（ｂ）正面図である。
図４は、図１及び３のロールペーパー切断装置の案内切断部に用いるカッターの刃先の一部の拡大した（ａ）平面図、（ｂ）正面図、及び（ｃ）側面図である。
図５は、図１及び３のロールペーパー切断装置の案内切断部に用いるカッターの一部の拡大した（ａ）平面図、（ｂ）正面図、及び（ｃ）側面図である。
以下のロールペーパー切断装置においては、ペーパーの引出し側を前側とし、ペーパーの収納側を後側とし、前側から後側を見て左右として説明する。図１（ａ）、２、３（ａ）においては、右側がペーパー引出し側の前側で、左側が後側である。
【０００８】
図１、２を参照し本考案の第一例のロールペーパー切断装置１の構成を説明する。
ロールペーパー切断装置１は、据置き用途及び壁面取付け用途のいずれにも好適であるが、支持部２と案内切断部３とよりなる。尚、使用するロールペーパーＲは、幅ｖの巻芯Ｒ１ 及びこれに巻取られた同幅ｖのペーパーＲ２ とからなり、ペーパーＲ２ を引出して解舒ペーパーＲ３ としている。ここでは、トイレットペーパーについて説明するがこれに限定されず、例えば手拭きペーパー、キッチンペーパー等であってもよく、紙質、左右幅等がそれぞれ異なるのみである。
支持部２は、側板２１と、連結板２２と、軸支材２３とを有している。
側板２１は、左右一対平行に向合って前記巻芯Ｒ１ 及びペーパーＲ２ の幅ｖより僅か大きい間隔をおいた略方形板状材であるが、左右共上端縁は前部と後部に段差が付けられておりそれぞれ略水平面をなし前部の座部２１ａ、２１ａと後部の頂部２１ｂ、２１ｂとからなり、頂部２１ｂには座部２１ａに近接する位置に左右方向に一対の軸孔２１ｃが軸芯を向合わせて穿設されている。座部２１ａは、案内切断部３を水平方向に受止め定置するために頂部２１ｂに対し導入ガイド３１の厚さ分だけレベルが低くとられ、好ましくは頂部２１ｂの前端は導入ガイド３１後端が回動し易いように軸孔２１ｃの軸芯と同心のアール面に形成される。
連結板２２は、側板２１、２１の後端を連結する平坦な略方形板状材で、側板２１、２１と連結板２２とで前方が開口した略コ字形断面をもった溝形状に形成されている。連結板２２には必要により壁面取付け用のビス、ボルトなどの取付け孔が前後方向に穿設されている。
芯受材２３は、ロールペーパーＲの巻芯Ｒ１ を着脱するするためのいずれも公知のもので、本例に示すのは側板２１、２１の向合う内面より中心方向に突出する先端先細りの一対の舌片状である。図示省略するが、ここの芯受材２３は側板２１、２１に内蔵されたバネ材によって付勢されており、ロールペーパーＲを手で持って巻芯Ｒ１ 部分を前記溝形状の開口の下方より圧入すると、前記バネ材は圧縮され芯受材２３、２３前部は斜め上方に退避し巻芯Ｒ１ 内に挿入され、手をロールペーパーＲから離すと舌片状の芯受材２３、２３は前記バネ材の反発力で中心方向への突出状態に戻り、図１（ａ）（ｂ）に示すとおりロールペーパーＲが巻芯Ｒ１ を介して芯受材２３、２３に装着される。
また、その他の芯受材の例として図示省略するが、円筒状のボビン内部にバネ材を挿着し軸芯方向の両端に軸状の芯受材を突出可能とし、該芯受材を回動自在に支承する丸穴を側板２１、２１の向合う内面に設け、巻芯Ｒ１ 部分を下方より装着するときはバネ材を圧縮して左右芯受材の間隔を縮めて巻芯Ｒ１ 内に挿入し、ロールペーパーＲから手を離すと芯受材は前記バネ材の反発力で突出状態に戻り側板２１、２１の丸穴に圧入し、巻芯Ｒ１ を介してロールペーパーＲが芯受材に装着される。
【０００９】
案内切断部３は、導入ガイド３１、整列ガイド３２及びカッター３３からなり、各部材を一体に形成する場合と、導入ガイド３１と整列ガイド３２を一体としカッター３３を別体としてそれそれ接着、固着具などによって固着する場合とがある。導入ガイド３１及び整列ガイド３２は金属、硬質プラスチック又は木などの板材であってもよいが、少なくともカッター３３は後述するソフトタッチであって適度の剛性を有するプラスチック薄板材製であることが必要で、例えば高密度ポリエチレンもしくは高密度ポリプロピレンなどの半硬質プラスチック、または塩化ビニルもしくはポリウレタンなどの硬質低発泡プラスチックが用いられる。以下に説明する本例では各部材は一体物として説明する。
導入ガイド３１は、横長長方形状の基板３１ａの前寄り左右中央位置に通常左右幅ｗ＝０．７〜０．９ｖ、前後幅３〜５ｃｍ前後の平面視横長長方形状の通過孔３１ｄが穿設され、基板３１ａの左右幅は前部の大部分は側板２１、２１の左右外端面と同大にとられ、最後尾に側板２１、２１の左右内端面より僅かに幅狭の切欠部３１ｂ、３１ｂが一対設けられている。切欠部３１ｂ、３１ｂより左右に回動軸３１ｃ、３１ｃが基板３１ａの前部幅より僅かに長く突設され、軸孔２１ｃ、２１ｃの内側より挿入可能とされている。通過孔３１ｄの周囲には、下向き曲面状の突縁３１ｅを突設することにより下方よりのロールペーパーＲの導入が円滑、容易に行えるので好ましい。ここの通過孔３１ｄは横長長方形状とされているが、後側をカットして平面視略Ｕ字形状としてもよい。
整列ガイド３２は、底面部３２ａ、左右壁面部３２ｂ及び上面部３２ｃを有している。  全体平坦面にとられた板材の底面部３２ａには、左右端部の前後方向に左右一対の壁面部３２ｂ、３２ｂによって後部と前部が広がり中部が狭まって向合った湾曲面によって平面視において略鼓状に形成されている。そして壁面部３２ｂ、３２ｂが底面部３２ａより１５〜３０ｍｍ前後立上がった上端に、左右一対の上面平坦な上面部３２ｃ、３２ｃが左右外側に張出している。上面部３２ｃ、３２ｃは平面視において内側面は向合わせた湾曲状にとられ、外側面は平面視において本例では直線状となっているが、それに限定されず湾曲状であってもよい。また、壁面部３２ｂ、３２ｂの上面部３２ｃ、３２ｃとの連結部は解舒ペーパーＲ３ の移動が円滑に行えるように緩やかな湾曲面にとられ、壁面部３２ｂ、３２ｂの底面部３１ａとの連結部は解舒ペーパーＲ３ が移動中に張力によって跳ね上がるのを防止するため５〜１０ｍｍ程度底広がりになるようにとられており、正面視において略台形状に形成されている。
ここで平面視において、壁面部３２ｂ、３２ｂの底面部３１ａとの連結部において、後端末の入口幅ｘは最大で前記通過孔３１ｄの左右幅ｗと略同幅とされ、中間部は最小に縮幅した中間幅ｙに括れ、前端末は入口幅ｘと略同幅かそれより僅かに縮小した出口幅ｚとされている。
通常巻芯Ｒ１ 及びペーパーＲ２ の幅ｖを基準として、ｘ、ｙ、ｚの大きさはいずれも対向する内側寸法で、
ｘ＝ｗ＝０．７〜０．９ｖ、ｙ＝０．５〜０．６ｖで、ｚはｘに等しいかまたは僅か１０ｍｍ以下小さくとられている。
【００１０】
カッター３３は図１（ｂ）（ｃ）を参照して、整列ガイド３２の底面部３２ａ前端に連設されている。その詳細は図４、５を参照して、カッター３３は刃３３ａとベース３３ｂとからなり、材質は刃３３ａの先端に手が当ったとき指に痛感を与えることのないソフトタッチであって適度の剛性を有するプラスチック板材製で、前記した半硬質プラスチック、または硬質低発泡プラスチックなどが用いられる。刃３３ａは出口幅ｚより僅かに大きい幅に設けられ、正面視において粗目ピッチで緩傾斜部３３１と急傾斜部３３２とで鋸歯状に形成され、先端部３３３は小半球状に形成され、全て同じ一方に向かい例えば図５（ｂ）に示すのは右寄りにおかれている。そして図５（ｃ）に示す側面視において、刃３３ａ先端は、連設されたいる整列ガイド３２の底面部３２ａ表面に対し１１０〜１３０度、好ましくは１２０度前後の傾斜角αをもった前上がり勾配におかれている。
刃３３ａは、例えば歯数３．０〜４．５本／１０ｍｍ、高さ４．５〜７ｍｍ、先端部３３３は半径０．２〜０．５ｍｍの小半球状にとられている。
前記特許文献１に記載のロールペーパー切断装置では、ロールペーパーを下向き直角方向に曲げ硬質プラスチック薄板製の小ピッチ山形状の歯をもったカッターの刃先に当て力を加えて積極的に切断しているため、切れ易いようにピッチを細かくしなければならないが、本考案のロールペーパー切断装置１では刃先を粗目ピッチで高さを比較的大きくとり一方に向っている鋸歯状の刃によって柔らかいロールペーパーに容易に突刺さり、傾斜角方向に引張ることにより切断が広がる。その際、刃３３ａの先端に手が当ってもその材質
と先端部３３３の小球状の構成によって痛感を与えることがない。
【００１１】
次に、図１を参照してロールペーパー切断装置１の組立てを順次説明する。
予め内蔵させたバネ材で付勢された芯受材２３を向合う中心方向に突出可能にした側板２１、２１を一対用意する。
他方、案内切断部３は導入ガイド３１、整列ガイド３２及びカッター３３が一体に形成されている場合はそのまま、導入ガイド３１と整列ガイド３２を一体としカッター３３が別体とされている場合はそれぞれ接着又固着具などによって固着して案内切断部３を用意する。このとき、切欠部３１ｂ、３１ｂに回動軸３１ｃ、３１ｃが突出している。
次いで、側板２１、２１を左右平行におき間に案内切断部３をおき、回動軸３１ｃ、３１ｃを軸孔２１ｃ、２１ｃの内側より挿入すると共に側板２１、２１の後端に連結板２２を渡して側板２１、２１を固着し、溝形状に形成される。このとき、案内切断部３は、側板２１の段差のある座部２１ａに水平方向に受止め定置される閉鎖位置と、回動軸３１ｃを介して軸孔２１ｃ回りに回動して斜め上方に跳ね上る開放位置とに容易に移動可能とされ、ロールペーパー切断装置１の組立てが完了する。
【００１２】
次に、図１、２を参照してロールペーパー切断装置１の使用態様を説明する。
本例は、据え置き用途としてテーブル、調理台等の平坦面に乗せて用いたり、壁面取付け用途にも好適であり、固定せず手で持っても使用できる。
先ず、使用開始前の準備段階においては、図１に示すとおり、側板２１及び連結板２２で形成される溝形状の開口に下側より未使用のロールペーパーＲを挿入し、バネ材で付勢され中心方向に突出している芯受材２３をロールペーパーＲで下から押すと軸支材２３の先端が上方に退避し、巻芯Ｒ１ が通過すると中心の中空部分に向けてバネ材の反発力で軸支材２３が突出し巻芯Ｒ１ 及びこれに巻取られたペーパーＲ２ が保持される。
そして準備段階から、片手の指Ｆで解舒ペーパーＲ３ の自由前端部を掴んで座部２１ａに定置されている導入ガイド３１の通過孔３１ｄの下からくぐらせ、前方略水平方向に引出して整列ガイド３２からカッター３３に渡らせる。通過孔３１ｄが後側をカットした略Ｕ字形の場合でも解舒ペーパーＲ３ の自由前端部を掴んで横及び前側と接触しながら通過させればよい。このとき解舒ペーパーＲ３ の幅ｖは前に進むにつれて左右幅ｗ、入口幅ｘ、中間幅ｙ及び出口幅ｚと幅が順次変化し、表面は縦筋の入った柔らかい皺状の図２（ａ）に示す当初の使用開始時の状態におかれる。
次いで、図２（ｂ）に示す当初の使用開始時から指Ｆで解舒ペーパーＲ３ の自由前端部を寄せて掴んでほぼ水平方向に引張り、解舒ペーパーＲ３ の後続部分は導入ガイド３１及び整列ガイド３２の各部分を通過案内されて後側から前側へ移動するが、このとき解舒ペーパーＲ３ は導入ガイド３１の通過孔３１ｄ、整列ガイド３２の底面部３２ａ及び左右壁面部３２ｂとの摩擦によって適度の張力を受けつつ前進し、所望する長さの使用ペーパーＲ４ とした所で、傾斜角αをもった刃先３３ａに対し直角にして斜めに引張ることにより切断する。刃先３３ａは粗目ピッチで高さが比較的大きい一方に向っている鋸歯状の刃なのでこれに沿うように一方に引張ることにより柔らかいペーパーに容易に刃先３３ａが突刺さり切断が広がって所望長の使用ペーパーＲ４ が得られる。ここで、ロールペーパー切断装置１は導入ガイド３１及び整列ガイド３２を順次配置したことによる相乗効果により、ロールペーパーＲを軸芯回りに回転させる構成にもかかわらず、ロール外径が変化しても張力変化がほとんど生ずることがない。
切断終了後は、図２（ｂ）に示すロールペーパー切断装置１における解舒ペーパーＲ３ の状態におかれているが、次回の使用時にはカッター３３近傍に残されている切断端を指で掴んで前記当初の使用開始時と同様にして所望長の使用ペーパーＲ４ を得ることができる。
巻芯Ｒ１ に巻取られたペーパーＲ２ が空になったときは、巻芯Ｒ１ を指で持って上方に持上げると、芯受材２３の先端を退避させて巻芯Ｒ１ を取外すことができ、更に上方に持上げると前記したとおり案内切断部３を軸孔２１ｃ回りに回動して斜め上方に跳ね上げ開放位置に移動させて巻芯Ｒ１ をより容易に外側に排出可能となる。
【００１３】
図３を参照し本考案の第二例のロールペーパー切断装置４の構成を説明する。ロールペーパー切断装置４は、前記第一例のロールペーパー切断装置１と同様の構成に一部構成を付加したもので壁面取付け用途として用いられ、以下においてロールペーパー切断装置１と同様の構成には同一符号を用い、詳細説明を省略する。
ロールペーパー切断装置４は、支持部２′と、案内切断部３とよりなるが、案内切断部３の平面図は前記ロールペーパー切断装置１の図１（ｃ）と同様である。
支持部２′は、側板２１′と、連結板２２′と、芯受材２３と上蓋２４とを有し、更にストッパー２５を付加するのが好ましい。
側板２１′は、左右一対平行に向合って巻芯Ｒ１ 及びペーパーＲ２ の幅ｖより僅か大きい間隔をおいた板状材であるが、前記側板２１と異なり後部の高さが略１．５〜２倍にとられ、側面視において傾斜面と水平面とが交差し前上方に開口を有する切込み部２１′ｄが形成されており、側面視において側板２１′の全体高さの下略２／３は略方形状下方部にとられ上略１／３は略台形状上方部にとられている。ここで、切込み部２１′ｄの傾斜面は平面状に限定されず湾曲面であってもよい。
そして略方形状下方部にはロールペーパー切断装置１と同様に芯受材２３、２３が左右に配設され、切込み部２１′ｄの水平面を形成する略方形状下方部の上端縁前側には座部２１′ａがおかれている。略台形状上方部には、略方形状下方部とつながる座部２１′ａと近接する境界位置に左右方向に軸孔２１′ｃが軸芯を向合わせて穿設され、回動軸３１ｃが軸孔２１′ｃに挿入されて案内切断部３が回動可能とされる。該境界位置には好ましくは案内切断部３が軸孔２１′ｃに挿入されて回動し易いように軸孔２１′ｃの軸芯と同心のアール面が形成される。
連結板２２′は側板２１′、２１′の後端を連結する平坦な略方形板状材で、側板２１′、２１′の下部に掛渡され、壁面取付け用のビス、ボルトなどの取付け孔が穿設されている。上蓋２４は、側板２１′、２１′の上端を覆って固着されるが、更に好ましくは上蓋２４上におかれる予備ロールペーパーなどの小物が転動するのを防止するため線状突起のストッパー２５を上蓋２４前端部に沿って固着するのがよい。ここで連結板２２′の高さは上蓋２４があるので前記連結板２２に比し短くてもよい。
【００１４】
次に、ロールペーパー切断装置４の使用態様を説明する。
前記図１に示すロールペーパー切断装置１で説明したと同様に図３に示す使用開始前の準備段階におき、片手の指Ｆで解舒ペーパーＲ３ の自由前端部を掴んで導入ガイド３１の通過孔３１ｄの下からくぐらせ、前方略水平方向に引出して整列ガイド３２からカッター３３に渡らせる。次いで図２（ａ）、（ｂ）に示す使用開始時の状態と同様にしてロールペーパー切断装置４により解舒ペーパーＲ３ を引張り、所望する長さの使用ペーパーＲ４ が得られる。
巻芯Ｒ１ に巻取られたペーパーＲ２ が空になったときは、巻芯Ｒ１ を指で持って上方に持上げ芯受材２３の先端を退避させて巻芯Ｒ１ を取外すが斜め上方には空間で邪魔となるものがないので、更に上方に持上げて案内切断部３を軸孔２１′ｃ回りに回動して斜め上方に跳ね上げ移動させて巻芯Ｒ１ をより容易に外側に排出可能となる。
上蓋２４は上に予備ロールペーパーなどの小物を乗せて置くのに有用である。
【産業上の利用可能性】
【００１５】
本考案のロールペーパー切断装置は、据え置き用途、壁面取付け用途その他の用途にそれぞれ利用可能である。
【図面の簡単な説明】
【００１６】
【図１】本考案の第一例のロールペーパー切断装置の（ａ）側面図、（ｂ）正面図、及び（ｃ）案内切断部の平面図である。
【図２】図１のロールペーパー切断装置によるロールペーパーの切断作業を示す概略説明斜視図で、（ａ）切断開始時、（ｂ）切断完了時である。
【図３】本考案の第二例のロールペーパー切断装置の（ａ）側面図、及び（ｂ）正面図である。
【図４】図１及び３のロールペーパー切断装置の案内切断部に用いるカッターの刃先の一部の拡大した（ａ）平面図、（ｂ）正面図、及び（ｃ）側面図である。
【図５】図１及び３のロールペーパー切断装置の案内切断部に用いるカッターの一部の拡大した（ａ）平面図、（ｂ）正面図、及び（ｃ）側面図である。
【符号の説明】
【００１７】
１、４  ロールペーパー切断装置
２、２′  支持部
２１、２１′  側板
２１ａ  座部
２１ｂ  頂部
２１ｃ、２１′ｃ  軸孔
２１′ｄ  切込み部
２２、２２′  連結板
２３  芯受材
２４  上蓋
３  案内切断部
３１  導入ガイド
３１ａ  基板
３１ｂ  切欠部
３１ｃ  回動軸
３１ｄ  通過孔
３２  整列ガイド
３２ａ  底面部
３２ｂ  壁面部
３２ｃ  上面部
３３  カッター
３３ａ  刃
３３ｂ  ベース
３３１  緩傾斜部
３３２  急傾斜部
３３３  先端部
Ｒ    ロールペーパー
Ｒ１   巻芯   
ｖ    巻芯幅、ペーパー幅
ｗ    左右幅
ｘ    入口幅
ｙ    中間幅
ｚ    出口幅
【図１】
0003135229.tif 000003
【図２】
0003135229.tif 000004
【図３】
0003135229.tif 000005
【図４】
0003135229.tif 000006
【図５】
0003135229.tif 000007